(57)【要約】【課題】遠視用、近視用双方共に視線角度が一定で、広い遠視領域と近視領域にて夫々使用することを可能にし、しかも、使用者の度数ニーズに即座に対応し得るようにした遠近両用眼鏡を低価格にて提供する。【解決手段】遠視用リム部１、近視用リム部２、この両リム部１,２を個々に連結するように左右のリム部１,１間及び２,２間に亘り水平に取り付けられる連結杆部３、この連結杆部３に貫通状に挿通されてリム部１,１と２,２とを回動可能に支持する支軸４、この支軸４の両端に連結されるテンプル５で構成されてなる。【選択図】図１
0003103896.tif 000002
【実用新案登録請求の範囲】
【請求項１】
少なくとも遠視用リム部、近視用リム部と
この遠近両用の対を成す夫々のリム部を連結するように左右の同リム部間に亘り水平に取り付けられる連結杆部と、
前記連結杆部に貫通状に挿通されて、前記遠視用リム部と近視用リム部とを適宜の回転抵抗を付与せしめた状態で回動可能に支持する支軸と、
この支軸の両端に少なくとも回動不動に連結されて、前記遠視用リム部、近視用リム部を支持するテンプルとで構成され、
前記テンプルの支軸との連結端部側は遠視用レンズと近視用レンズとを快適な視線位置高さに保持するように形成されてなることを特徴とする遠近両用眼鏡。
【請求項２】
請求項１記載の遠視用リム部と近視用リム部とを連結する連結杆部は、遠視用リム部と近視用リム部とを支軸に対して独立させて回動可能に支持するように長さ方向に分割され、且つ、前記遠視用リム部と近視用リム部とはブリッジ部にて夫々連結されてなることを特徴とする遠近両用眼鏡。
【考案の詳細な説明】
【技術分野】
【０００１】
本考案は、遠近両用眼鏡に関する。
【背景技術】
【０００２】
一般的に知られている遠近両用眼鏡は、単体レンズ（一枚レンズ）の上側に遠視領域が、下側に焦点距離が異なる近視領域が設けられており、遠くを見る場合は視線を水平かやや上向きにして遠視領域を使用し、手元などの近くを見る場合には視線をやや下向きにして近視領域を使用するようになっている。
ところで、眼鏡は外観的見た目が重要視される。従って、単体レンズ使用の遠近両用眼鏡は、見た目が良く、快適に使用されるものである。
【０００３】
しかし乍ら、前述のように近視領域を使用する場合には視線を下げ、尚且つ、長時間手元を見続ける場合には視線を長い間下向きに保たなければならない。そして、狭い近視領域の使用となる。
従って、この様な無理な目視条件を継続的に続けることは困難であり、長時間使用すると非常に疲れ易く、極度の疲労や障害がもたされることになる。つまり、狭い近視領域を使用する場合には下目遣いの無理な視線が強要さることから、必ずしも快適な使用とは言えない。
【０００４】
そこで、従来では視線を無理やり上向きにしたり、下向きにすることなく、長時間使い続けても疲れない最適な視線位置（目線高さ）で使用できるようにフレームに改良を加えた単体レンズ使用の遠近両用眼鏡が提案されている（特許文献１及び特許文献２）。
【０００５】
しかし乍ら、従来の遠近両用眼鏡は上側を遠視領域、下側を近視領域とする単体レンズを使用していることから、例えば近視領域のレンズ度数が使用者に合わなくなった場合には近視領域のみを交換することができないばかりか、単体レンズ故に高価な遠近両用眼鏡となってしまうものであった。
【０００６】
【特許文献１】特開平７−１５９７３３号
【特許文献２】特開平１０−２０６８０３号
【考案の開示】
【考案が解決しようとする課題】
【０００７】
本考案が解決しようとする課題は、遠視用、近視用双方共に視線角度が一定で、広い遠視領域と近視領域にて夫々使用することを可能にし、しかも、使用者の度数ニーズに即座に対応し得るようにした遠近両用眼鏡を低価格にて提供することにある。
【課題を解決するための手段】
【０００８】
上記課題を解決するために本考案は、請求項１では、遠視用リム部、近視用リム部と、
この遠近両用の対を成す夫々のリム部を連結するように左右の同リム部間に亘り水平に取り付けられる連結杆部と、
前記連結杆部に貫通状に挿通されて、前記遠視用リム部と近視用リム部とを適宜の回転抵抗を付与せしめた状態で回動可能に支持する支軸、
この支軸の両端に少なくとも回動不能に連結されて、前記遠視用リム部、近視用リム部を支持するテンプルとで構成され、
更に、前記テンプルの支軸との連結端部側は遠視用レンズと近視用レンズとを快適な視線高さに保持するように形成されてなることを特徴とする遠近両用眼鏡にある。
そして、上記テンプルは、連結杆部の両端から突出する支軸の両端に対し、該両端部に設けた螺子部へのナット締め等により着脱自在で且つ回動不能に取り付けることで、
【０００９】
また、請求項２では、請求項１記載の遠視用リム部と近視用リム部とを連結する連結杆部が、遠視用リム部と近視用リム部とを支軸に対して独立させて回動可能に支持するように長さ方向に分割され、且つ、前記遠視用リム部と近視用リム部とはブリッジ部にて夫々連結されてなることを特徴とする遠近両用眼鏡にある。
そしてこの様に、連結杆部を分割して、遠視用リム部と近視用リム部に夫々取り付けて支軸に回転可能に支持させる構成を採用する場合、上記テンプルを、連結杆部の両端から突出する支軸の両端に対し、着脱自在で且つ回動不能に取り付けることで、遠視用リム部と近視用リム部とを着脱交換可能とすることが好適なものとなる。
即ち、遠視用、近視用の何れかのリム部側が破損した場合等には即座に交換等を行い得るようにする。
【考案の効果】
【００１０】
本考案の遠近両用眼鏡は叙上の如く構成してなることから下記の作用効果を奏するものである。
遠視用リム部と近視用リム部とを左右のテンプル間に回動可能に備えてなることから、回動によって遠視用と近視用とを使い分けることができる。
従って、例えば手元などの近くを見る場合には従来の遠近両用眼鏡にように、目線を下げ尚且つ狭い領域での使用がなくなり、自然な視線（目線）にて近視レンズを通して尚且つ近視用リム部内全域の広い領域にて使用することができる。
即ち、遠視用、近視用双方共に常に一定の視線角度で尚且つ従来の遠近両用眼鏡のように、上下に度数の境目（変化）がない純粋な一枚レンズからなる遠視用レンズと近視用レンズでの使用が可能となる。
これによって、長時間使い続けても、従来のように極度（過度）の疲労や障害がもたらされることがない。
【００１１】
また、独立させた遠視用レンズと近視用レンズとからなることで、単体レンズ（１枚レンズ）からなる従来の遠近両用眼鏡に比べて価格が抑えられ、低価格での提供が可能となる。
【００１２】
しかも、左右のテンプルが連結される支軸に対して、遠視用リム部と近視用リム部とを回動可能に支持させる連結杆部は、軸方向に分割されて遠視用リム部と近視用リム部とを独立させて回動・分離するように成し、そして、テンプルは支軸の両端に着脱自在且つ回動不能に連結してなる。
従って、遠視用リム部と近視用リム部との何れか一方が使用者の度数に合わなくなった場合や破損等した場合にはその一方のみの交換に即答することができる。
また、店頭における販売において、度数の異なる夫々の遠視用レンズと近視用レンズを備える遠視用リム部と近視用リム部とを多種類準備し陳列しておくことで、各使用者の度数に合わせた夫々の遠視用レンズと近視用レンズとの組み合わが可能であることから、使用者のニーズに即答できる遠近両用眼鏡を提供することができる。
【考案を実施するための最良の形態】
【００１３】
本考案の実施の具体例を図１〜図６に基づいて説明する。
【実施例１】
【００１４】
図１は、本発明遠近両用眼鏡の実施形態の一例を示し、１は遠視用リム部、２は近視用リム部、３は左右一対の夫々の遠近両用リム部１，２に亘り取り付けられる連結杆部、４は連結杆部３を介して遠近両用リム部１，２を夫々回動可能に支持する支持軸、５は支軸３の両端に連結されるテンプルである。
【００１５】
遠近両用リム部１，２は、周知の形状・構造に形成されると共にブリッジ部６，７にて夫々連結されてなり、連結杆部３と支軸４を介して左右のテンプル５に回動可能に支持されるようにしてなる。
そして、遠近両用リム部１，２には周知のように、鼻当て部８，９が夫々備えられている。
【００１６】
連結杆部３は、遠近両用リム部１，２を支軸４に対して夫々回動可能に連結支持させるためのものであり、支軸４の太さ（外径）と略同径の内径を有するパイプ材によって遠視用と近視用の夫々の左右リム部１,１、２,２の両側に至る程度の長さに形成され、且つ軸方向に４分割されて、その内の２つの連結杆部3-1が遠視用リム部１の両上辺縁枠に、残る２つの連結杆3-2が近視用リム部２の両上辺縁枠に蝋付け等の固定手段により水平で且つ蝶番の如く軸方向に交互で並列するように備えられる形成されてなる（図２参照）。
つまり、遠視用リム部１と近視用リム部２とが、支軸４に対して蝶番のように連結されて独立して回動する連結構造にて支軸４に装着されるようにしてなる。
【００１７】
支軸４は、遠視用リム部１と近視用リム部２とを夫々の連結杆3-1，3-2を介して支持すると共に、この両リム部１，２を左右のテンプル５間に回動可能に連結支持させるためのものであり、同軸で蝶番状に交互に並列される両リム部１，２に連結杆3-1，3-2の総全長よりも長く形成されると共に、両端にはテンプル５の後述する支持部5-1に袋ナット10等の固定手段により取り付ける螺子部11が形成されてなる。
【００１８】
テンプル５は、基本形態として周知の形状・構造を成し、支軸４端部への連結端部側には側面視略Ｌ字状の支持部5-1を枢着備えると共に、湾曲する他端部側には耳当て部12を備えてなる。
【００１９】
支持部5-1は、眼鏡を掛けた状態において、鼻当て部８，９により夫々支持される遠視用リム部１と近視用リム部２の中心、つまり、遠視用レンズ1-1と近視用レンズ2-1が使用者の最適な視線角度（視線高さ）となるように、支軸４の両端を支持する高さ寸法にて形成され、そのＬ字一端側がテンプル部５に折り曲げ自在に枢着されるように形成されてなる。
そして、支持部5-1のＬ字他端側には外径が連結杆部３と同径とする連結部5-10を備え、この連結部の貫通孔13から突出される支軸４端部の螺子部11に袋ナット10が螺着されることで、支軸４の両端にテンプル部５が、図３に示すように、袋ナット10と螺子部11基端の段部面11-1とにより着脱自在で且つ回動不能に連結されるようにしてある。
【００２０】
図中14は、連結杆部３と支軸４との両端側内間に内在されて袋ナット10に締付により、支軸４に対する連結杆部３の回転にブレーキを掛ける。つまり、遠視用リム部１と近視用リム部２を夫々支持する連結杆3-1，3-2がフリー状態で回動しないように適度の摩擦抵抗を付与する抵抗部材であり、ゴム体、板バネ、或いは図示したようなコイルバネ等からなる。
即ち、抵抗部材14によって、遠視用リム部１と近視用リム部２とが使用状態に応じて夫々の位置に係止保持されるようにしてある（図４参照）。
【実施例２】
【００２１】
図５は、支軸４の両端部に対するテンプル部５の連結形態を示す他の実施例であり、斯かる実施例においては、支軸４の螺子部11基部側とテンプル部５の支持部5-1に備えた連結部5-10とに、周方向において互いに噛合し合うことで、支軸４に対してテンプル部５を回動不能に連結する軸方向の溝と歯とを周方向に交互に設けてなる所謂雄雌のスプライン15を施すことで、テンプル部５の支持部5-1を支軸４に完全にロック係止させた回動不能な状態で連結し得るようにしてなるものである。
【００２２】
尚、前述実施例においては、支軸４の両端部に対して、テンプル部５を着脱・分解し得る構造を採用したが、支軸４の何れか一方の端部側に対してのみ着脱・分解し得るようにするも良く、任意である。
【実施例３】
【００２３】
図６は、支軸４に対して遠視用リム部１と近視用リム部２とを回動可能に連結支持する連結杆部３を一本物として、遠視用リム部１と近視用リム部２とが上下方向に回動するようにしてなるものである。即ち、遠視用リム部１を上側に回動させた時には近視用リム部２が使用する下側に連動して回動するようにしてなる。
この場合、図示のように、遠視用リム部１と近視用リム部２とを上下位置関係にて連結杆部３に固着連結するものである。
尚、斯かる実施例における構成は、前述実施例と基本的に変わりないことから、同じ構成部分に同じ符号を用いることで、重複説明を省略する。
また、斯かる実施例における支軸４の端部へのテンプル部５の連結としては必ずしも着脱自在とする必要はない。
【図面の簡単な説明】
【００２４】
【図１】本発明遠近両用眼鏡の実施形態の一例を示す斜視図
【図２】分解斜視図
【図３】一部を断面して示す要部の拡大正面図
【図４】使用の一例を示す側面図
【図５】支軸に対するレンプル部の連結形態の他の実施例を示し、（ａ）は要部の拡大斜視図、（ｂ）は（ａ）のｂ−ｂ拡大断面図、（ｃ）は（ａ）のｃ−ｃ拡大断面図
【図６】本発明遠近両用眼鏡の他の実施形態を示す斜視図
【符号の説明】
【００２５】
１：遠視用リム部        1-1：遠視用レンズ
２：近視用リム部        2-1：近視用レンズ
３：連結杆部            ４：支軸
５：テンプル            ６,７：ブリッジ部
８，９：鼻当て部        12：耳掛け部
【図１】
0003103896.tif 000003
【図２】
0003103896.tif 000004
【図３】
0003103896.tif 000005
【図４】
0003103896.tif 000006
【図５】
0003103896.tif 000007
【図６】
0003103896.tif 000008
【手続補正書】
【提出日】平成16年4月8日(2004.4.8)
【手続補正１】
【補正対象書類名】実用新案登録請求の範囲
【補正対象項目名】全文
【補正方法】変更
【補正の内容】
【実用新案登録請求の範囲】
【請求項１】
少なくとも遠視用レンズ、近視用レンズと、
この遠近両用の対を成す夫々のレンズを連結するように左右の同レンズ間に亘り水平に取り付けられる連結杆部と、
前記連結杆部に貫通状に挿通されて、前記遠視用レンズと近視用レンズとを適宜の回転抵抗を付与せしめた状態で回動可能に支持する支軸と、
この支軸の両端に少なくとも回動不動に連結されて、前記遠視用レンズ、近視用レンズを支持するテンプルとで構成され、
前記テンプルの支軸との連結端部側は遠視用レンズと近視用レンズとを快適な視線位置高さに保持するように形成されてなることを特徴とする遠近両用眼鏡。
【請求項２】
請求項１記載の遠視用レンズと近視用レンズとを連結する連結杆部は、遠視用レンズと近視用レンズとを支軸に対して独立させて回動可能に支持するように長さ方向に分割され、
且つ、前記遠視用レンズと近視用レンズとはブリッジ部にて夫々連結されてなることを特徴とする遠近両用眼鏡。
【手続補正２】
【補正対象書類名】明細書
【補正対象項目名】０００８
【補正方法】変更
【補正の内容】
【０００８】
上記課題を解決するために本考案は、請求項１では、遠視用レンズ、近視用レンズと、
この遠近両用の対を成す夫々のレンズを連結するように左右の同レンズ間に亘り水平に取り付けられる連結杆部と、
前記連結杆部に貫通状に挿通されて、前記遠視用レンズと近視用レンズとを適宜の回転抵抗を付与せしめた状態で回動可能に支持する支軸、
この支軸の両端に少なくとも回動不能に連結されて、前記遠視用レンズ、近視用レンズを支持するテンプルとで構成され、
更に、前記テンプルの支軸との連結端部側は遠視用レンズと近視用レンズとを快適な視線高さに保持するように形成されてなることを特徴とする遠近両用眼鏡にある。
【手続補正３】
【補正対象書類名】明細書
【補正対象項目名】０００９
【補正方法】変更
【補正の内容】
【０００９】
また、請求項２では、請求項１記載の遠視用レンズと近視用レンズとを連結する連結杆部が、遠視用レンズと近視用レンズとを支軸に対して独立させて回動可能に支持するように長さ方向に分割され、且つ、前記遠視用レンズと近視用レンズとはブリッジ部にて夫々連結されてなることを特徴とする遠近両用眼鏡にある。
そしてこの様に、連結杆部を分割して、遠視用レンズと近視用レンズに夫々取り付けて支軸に回転可能に支持させる構成を採用する場合、上記テンプルを、連結杆部の両端から突出する支軸の両端に対し、着脱自在で且つ回動不能に取り付けることで、遠視用レンズと近視用レンズとを着脱交換可能とすることが好適なものとなる。
即ち、遠視用、近視用の何れかのレンズ側が破損した場合等には即座に交換等を行い得るようにする。
【手続補正４】
【補正対象書類名】明細書
【補正対象項目名】００１０
【補正方法】変更
【補正の内容】
【００１０】
本考案の遠近両用眼鏡は叙上の如く構成してなることから下記の作用効果を奏するものである。
遠視用レンズと近視用レンズとを左右のテンプル間に回動可能に備えてなることから、回動によって遠視用と近視用とを使い分けることができる。
従って、例えば手元などの近くを見る場合には従来の遠近両用眼鏡にように、目線を下げ尚且つ狭い領域での使用がなくなり、自然な視線（目線）にて近視用レンズを通して尚且つレンズ全域の広い領域にて使用することができる。
即ち、遠視用、近視用双方共に常に一定の視線角度で尚且つ従来の遠近両用眼鏡のように、上下に度数の境目（変化）がない純粋な一枚レンズからなる遠視用レンズと近視用レンズでの使用が可能となる。
これによって、長時間使い続けても、従来のように極度（過度）の疲労や障害がもたらされることがない。
【手続補正５】
【補正対象書類名】明細書
【補正対象項目名】００１２
【補正方法】変更
【補正の内容】
【００１２】
しかも、左右のテンプルが連結される支軸に対して、遠視用レンズと近視用レンズとを回動可能に支持させる連結杆部は、軸方向に分割されて遠視用レンズと近視用レンズとを独立させて回動・分離するように成し、そして、テンプルは支軸の両端に着脱自在且つ回動不能に連結されている。
従って、遠視用レンズと近視用レンズとの何れか一方が使用者の度数に合わなくなった場合や破損等した場合にはその一方のみの交換に即答することができる。
また、店頭における販売において、度数の異なる夫々の遠視用レンズと近視用レンズを備える遠視用レンズと近視用レンズとを多種類準備し陳列しておくことで、各使用者の度数に合わせた夫々の遠視用レンズと近視用レンズとの組み合わが可能であることから、使用者のニーズに即答できる遠近両用眼鏡を提供することができる。
【手続補正６】
【補正対象書類名】明細書
【補正対象項目名】００１３
【補正方法】変更
【補正の内容】
【００１３】
本考案の実施の具体例を図１〜図５に基づいて説明する。
【手続補正７】
【補正対象書類名】明細書
【補正対象項目名】００２１
【補正方法】削除
【補正の内容】
【手続補正８】
【補正対象書類名】明細書
【補正対象項目名】００２４
【補正方法】変更
【補正の内容】
【００２４】
【図１】本発明遠近両用眼鏡の実施形態の一例を示す斜視図
【図２】同分解斜視図
【図３】一部を断面して示す要部の拡大正面図
【図４】使用の一例を示す側面図
【図５】本発明遠近両用眼鏡の他の実施形態を示す斜視図
【手続補正９】
【補正対象書類名】図面
【補正対象項目名】図５
【補正方法】変更
【補正の内容】
【図５】
0003103896.tif 000009
【手続補正１０】
【補正対象書類名】図面
【補正対象項目名】図６
【補正方法】削除
【補正の内容】